(57)【要約】      （修正有）【課題】景品収納部内の景品を多く見せることにより、集客力の維持を図ることができる景品獲得装置を提供する。【解決手段】景品収納部１０内に設けられ、景品を把持する景品把持部１２と、景品把持部１２を景品収納部１０内で所望位置に移動させるクレーン機構１４と、景品を景品収納部１０の底面に対して略平行に写し出すように、景品収納部１０内に傾斜させて設けられた鏡板２１と、クレーン機構１４による景品把持部１２の移動に伴って、景品収納部１０の底面に対する鏡板２１の傾斜角度を変える傾斜調整部２４とを備える。【選択図】図２
0003166846.tif 000002
【実用新案登録請求の範囲】
【請求項１】
遊技者の操作に基づいて、景品収納部の底面に配置された景品を景品排出口から前記景品収納部外へ排出する景品獲得装置であって、
前記景品収納部内に設けられ、前記景品を把持する景品把持部と、
前記景品把持部を前記景品収納部内で所望位置に移動させる景品把持駆動機構と、
前記景品を前記景品収納部の底面に対して略平行に写し出すように、前記景品収納部内に傾斜させて設けられた鏡板と、
前記景品把持駆動機構による前記景品把持部の移動に伴って、前記景品収納部の底面に対する前記鏡板の傾斜角度を変える傾斜調整部と、
を備えたことを特徴とする景品獲得装置。
【請求項２】
前記傾斜調整部は、
前記景品把持部に固定され、前記景品把持駆動機構により前記景品把持部が前記鏡板に近づく方向に移動されたときに、前記鏡板に接触することにより前記景品収納部の底面に対する前記鏡板の傾斜角度が大きくなるように前記鏡板を押し上げる
ことを特徴とする請求項１記載の景品獲得装置。
【請求項３】
前記傾斜調整部は、
一方の端部が前記景品把持部に固定されると共に、他方の端部が前記鏡板に固定された紐状部材であり、前記景品把持駆動機構により前記景品把持部が前記鏡板に近づく方向に移動されたときに、前記景品収納部の底面に対する前記鏡板の傾斜角度が大きくなるように前記鏡板を引き上げる
ことを特徴とする請求項１記載の景品獲得装置。
【請求項４】
前記景品を内包し、前記景品収納部の底面に配置され、前記景品収納部の底面に対する前記鏡板の傾斜角度に応じて上部に備えられた蓋が開閉する景品箱を、
更に備えたことを特徴とする請求項１〜３のいずれか１項記載の景品獲得装置。
【考案の詳細な説明】
【技術分野】
【０００１】
本考案は、遊技者の操作に基づいて、遊技空間内に配置された景品を景品排出口から排出する景品獲得装置に関する。
【背景技術】
【０００２】
昨今、ゲームセンター等の遊技施設には、例えば、特許文献１に記載されたようなクレーン遊技装置が設置されることが多い。
【０００３】
このような一般的なクレーン遊技装置は、三方を透明板で囲まれ、底面であるフロアパネル上に景品が載置された景品収納部と、この景品収納部内に設けられた景品把持部と、この景品把持部を景品収納部内で所望位置に移動させるクレーン駆動機構と、景品収納部内に開口した景品排出口とを備えている。
【０００４】
この一般的なクレーン遊技装置において、遊技者は、操作部の操作釦を操作することにより獲得しようとする景品に対してクレーン駆動機構を動作させて景品把持部が目標とする景品の真上に到着したと思われるとき操作釦の操作を停止させる。
【０００５】
その後、景品把持部は自動的に降下し、フロアパネルに到着し、景品把持部が閉じて降下位置の景品を把持すると景品獲得成功となる。
【０００６】
景品獲得後、景品把持部は景品を把持したまま上昇して景品排出口の上方に移動した後、景品把持部を開いて景品を景品排出口へ落とし、この景品排出口に連通された景品受取口から景品が払い出される。
【０００７】
特許文献２には、筐体のステージ（フロアパネル）に設けられた景品投入口と、少なくとも一対の掴持爪と掴持爪の開閉を制御する手段とを備えた掴持手段（景品把持部）と、掴持手段をステージ上で上下方向，前後方向及び左右方向に移動させる移動手段と、鏡板が張設された筐体背面と、を備えた景品獲得ゲーム装置が提案されている。
【０００８】
さらに、特許文献３には、容器内に設けた発光源を点燈して明るい状態にし、中に入れた景品や商品が壁面のハーフミラーを通して見えるようにしておき、景品や商品を取り出そうと所定の操作をすると消燈して真暗に成ったり点滅したりし、ハーフミラーの壁面が完全な鏡と成って景品や商品を見えなくすると共に、自動的に又はマニュアル操作で景品や商品を抽出させるようにする商品自動抽出容器が提案されている。
【先行技術文献】
【特許文献】
【０００９】
【特許文献１】特開２０００−８４２３６号公報
【特許文献２】特許第４０４２８０７号公報
【特許文献３】実開平６−４９０号公報
【考案の概要】
【考案が解決しようとする課題】
【００１０】
しかしながら、特許文献１に記載のクレーン遊技装置では、フロアパネル上に景品が載置され、景品把持部により景品が獲得されるので、景品獲得成功となる度にフロアパネル上に配置された景品が少なくなり、景品が補充されなければ、遊技者にとって景品収納部内が寂しく見え、クレーン遊技装置の集客力が低下するという課題があった。
【００１１】
特許文献２に記載の景品獲得ゲーム装置では、鏡板が張設された筐体背面を備えており、また、特許文献３に記載の商品自動抽出容器も、壁面にハーフミラーが設けられているが、特許文献１に記載のクレーン遊技装置と同様に、景品が少なくなると、遊技者にとって景品収納部内が寂しく見え、クレーン遊技装置の集客力が低下するという課題があった。
【００１２】
本考案は、上記課題に鑑みてなされたものであり、景品収納部内の景品を多く見せることができる景品獲得装置を提供することを目的とする。
【課題を解決するための手段】
【００１３】
上記目的を達成するため、本考案に係る景品獲得装置の第１の特徴は、遊技者の操作に基づいて、景品収納部の底面に配置された景品を景品排出口から前記景品収納部外へ排出する景品獲得装置であって、前記景品収納部内に設けられ、前記景品を把持する景品把持部と、前記景品把持部を前記景品収納部内で所望位置に移動させる景品把持駆動機構と、前記景品を前記景品収納部の底面に対して略平行に写し出すように、前記景品収納部内に傾斜させて設けられた鏡板と、前記景品把持駆動機構による前記景品把持部の移動に伴って、前記景品収納部の底面に対する前記鏡板の傾斜角度を変える傾斜調整部と、を備えたことにある。
【００１４】
上記目的を達成するため、本考案に係る景品獲得装置の第２の特徴は、前記傾斜調整部は、前記景品把持部に固定され、前記景品把持駆動機構により前記景品把持部が前記鏡板に近づく方向に移動されたときに、前記鏡板に接触することにより前記景品収納部の底面に対する前記鏡板の傾斜角度が大きくなるように前記鏡板を押し上げることで、景品把持部の可動範囲を妨げないことにある。
【００１５】
上記目的を達成するため、本考案に係る景品獲得装置の第３の特徴は、前記傾斜調整部は、一方の端部が前記景品把持部に固定されると共に、他方の端部が前記鏡板に固定された紐状部材であり、前記景品把持駆動機構により前記景品把持部が前記鏡板に近づく方向に移動されたときに、前記景品収納部の底面に対する前記鏡板の傾斜角度が大きくなるように前記鏡板を引き上げることで、景品把持部の可動範囲を妨げないことにある。
【００１６】
上記目的を達成するため、本考案に係る景品獲得装置の第４の特徴は、前記景品を内包し、前記景品収納部の底面に配置され、前記景品収納部の底面に対する前記鏡板の傾斜角度に応じて上部に備えられた蓋が開閉する景品箱を、更に備えたことにある。
【考案の効果】
【００１７】
本考案に係る景品獲得装置によれば、景品収納部内の景品を多く見せることができる。
【図面の簡単な説明】
【００１８】
【図１】本考案の実施例１である景品獲得装置の斜視図である。
【図２】本考案の実施例１である景品獲得装置が備える鏡板の動作を説明した図である。
【図３】本考案の実施例２である景品獲得装置が備える鏡板の動作を説明した図である。
【図４】本考案の実施例３である景品獲得装置が備える鏡板の動作を説明した図である。
【考案を実施するための形態】
【００１９】
以下、本考案を実施するための形態について図面を参照して説明する。
【実施例１】
【００２０】
本考案の実施例１では、遊技者の操作に基づいて、景品収納部に配置された景品を、景品排出口から景品収納部外へ排出する景品獲得装置を例に挙げて説明する。
【００２１】
図１は、本考案の実施例１である景品獲得装置の斜視図である。
【００２２】
図１に示すように、景品獲得装置１は、三方を透明板で囲まれた景品収納部１０と、この景品収納部１０内に設けられた景品把持部１２，１３と、この景品把持部１２，１３を景品収納部１０内で所望位置に移動させるクレーン機構１４と、景品収納部１０内の底面に備えられたフロア部１８とを備えている。
【００２３】
このフロア部１８は、フロアパネルの組み替え式が採用されており、このフロアパネルを組み替えることで、任意の場所に景品排出口１８ａ，１８ｂを備えるようにすることができ、この景品排出口１８ａ，１８ｂ以外のフロア部１８上に景品を配置することができる。
【００２４】
景品収納部１０の後方には、下端部が回転自在に支持され、上部がフロア部１８の面に対して所定の傾斜角となるように傾斜させて支持された鏡板２１が設けられている。
【００２５】
鏡板２１は、表面が鏡面仕上げ、又は表面に鏡が重ね合わせて張られており、フロア部１８上に配置された景品を、フロア部１８に対して略平行に写し出す。これにより、景品獲得装置１を操作している遊技者に対して、フロア部１８上に実際に配置された景品より、景品を多く配置されているように見せることができるので、遊技者は、常に賑やかな雰囲気を奏する景品獲得装置１で遊技を楽しむことができる。
【００２６】
景品収納部１０の下方には、景品獲得装置１内部の景品排出口１８ａ，１８ｂからそれぞれ連通する景品受取口１９ａ，１９ｂと、操作釦やコイン投入口等を有する操作部２０とが設けられている。
【００２７】
クレーン機構１４は、景品把持部１２，１３を吊り下げ支持するとともに前後，左右，及び上下の３方向に移動させる。
【００２８】
景品把持部１２は、キャッチャー１２ａと、このキャッチャー１２ａに支持されたアーム１２ｂとを備えており、このアーム１２ｂがキャッチャー１２ａによって稼働されることにより、アーム１２ｂの先端部で景品を把持する。
【００２９】
なお、景品獲得装置１は、図１に示すように、正面に向かって左右対称の構成を有しているので、以下、景品獲得装置１の左側部分について説明する。
【００３０】
景品獲得装置１において、遊技者は、操作部２０の操作釦を操作することにより獲得しようとする景品に対してクレーン機構１４を動作させて景品把持部１２が目標とする景品の真上に到着したと思われるとき操作釦の操作を停止させる。
【００３１】
その後、景品把持部１２は自動的に降下し、この景品把持部１２がフロア部１８に達すると景品把持部１２のアーム１２ｂが閉じて降下位置の景品を把持する。
【００３２】
そして、景品把持部１２は景品を把持したまま上昇して景品排出口１８ａの上方に移動した後、景品把持部１２のアーム１２ｂを開いて景品を景品排出口１８ａへ落とし、景品排出口１８ａに落とされた景品は、この景品排出口１８ａに連通された景品受取口１９ａから払い出される。
【００３３】
このように、景品獲得装置１は、景品把持部１２が景品収納部１０内で移動することにより、景品を獲得するゲームを提供するので、より多くの景品を配置するため景品把持部１２の可動範囲は広い方が好ましい。
【００３４】
しかしながら、上述したように、鏡板２１は、上部がフロア部１８の面に対して所定の傾斜角となるように傾斜させて支持されているので、景品把持部１２の可動範囲内に鏡板２１が設けられていることになる。そこで、本考案の実施例１である景品獲得装置１では、景品把持部１２の可動範囲を制限しないように、景品把持部１２の動作に応じて鏡板２１が傾動する構成とした。
【００３５】
図２は、本考案の実施例１である景品獲得装置１が備える鏡板２１の動作を説明した図である。
【００３６】
図２に示すように、本考案の実施例１である景品獲得装置１が備える鏡板２１は、下端部２３が景品収納部１０の後方壁面の下部に固定されており、回転軸Ｐを中心に鏡板２１を回転自在に支持されている。
【００３７】
また、景品獲得装置１は、一方の端部が鏡板２１に固定され、他方の端部が景品収納部１０の後方壁面に固定された支持紐２２を備えており、鏡板２１は、支持紐２２によりフロア部１８の面に対して所定の傾斜角となるように支持されている。
【００３８】
景品把持部１２の背面側には、金属やプラスチック等のある程度の強度を有する板状部材で成型された傾斜調整部２４が固定されており、景品把持部１２が景品収納部１０内を移動すると、これに同伴して傾斜調整部２４も景品収納部１０内を移動する。
【００３９】
そして、クレーン機構１４により景品把持部１２が鏡板２１に近づく方向（Ｆ方向）に移動された場合、傾斜調整部２４が鏡板２１に接触することにより鏡板２１の傾斜角度が変えられる事により景品把持部１２の可動範囲を妨げない。
【００４０】
具体的には、図２に示すように、遊技者は、景品を獲得するために、景品把持部１２が、鏡板２２に近づくように操作部２０の操作釦を操作した場合、景品把持部１２は、Ａ位置（実線で示す）からＢ，Ｃ位置（破線で示す）に位置するようにＦ方向へ移動し、この移動に伴って傾斜調整部２４が鏡板２１に接触することにより、フロア部１８の面に対する鏡板２１の傾斜角度が大きくなるように鏡板２１をＧ方向に押し上げる。
【００４１】
このように、傾斜調整部２４が鏡板２１をＧ方向に押し上げることにより、鏡板２１は、傾倒位置Ｈ，Ｊから、起立位置Ｋへ移動し、これに伴い、鏡板２１と景品収納部１０の後方壁面とを接続した支持紐２２は弛む。
【００４２】
以上のように、本考案の実施例１である景品獲得装置１によれば、景品把持部１２に固定され、クレーン機構１４により景品把持部１２が鏡板２１に近づく方向に移動されたときに、鏡板２１に接触することによりフロア部１８の面に対する鏡板２１の傾斜角度が大きくなるように鏡板２１を押し上げる傾斜調整部２４を設けたので、景品把持部１２の可動範囲を狭めることなく、フロア部１８上に配置された景品を多く見せることができる。
【００４３】
なお、本考案の実施例１では、傾斜調整部２４が鏡板２１に接触していない場合において、フロア部１８に対して景品を平行に写し出すような傾斜角度で設けられた鏡板２１を備える景品獲得装置１を例に挙げて説明したが、傾斜角度は景品を平行に写し出すような角度に限らず、大人から子供までの様々な身長の遊技者が、鏡板２１に写し出されたフロア部１８に配置された景品の全部又は一部を見ることができるような傾斜角度であればよい。
【実施例２】
【００４４】
本考案の実施例１では、クレーン機構１４により景品把持部１２が鏡板２１に近づく方向に移動されたときに、鏡板２１に接触することにより鏡板２１の傾斜角度が大きくなるように鏡板２１を押し上げる傾斜調整部２４を備えた景品獲得装置１を例に挙げて説明した。
【００４５】
本考案の実施例２では、クレーン機構１４により景品把持部１２が鏡板２１に近づく方向に移動されたときに、鏡板２１に接触することにより鏡板２１の傾斜角度が大きくなるように鏡板２１を引き上げる紐状部材を備えた景品獲得装置を例に挙げて説明する。
【００４６】
図３は、本考案の実施例２である景品獲得装置２が備える鏡板２１の動作を説明した図である。なお、図３に示した構成のうち、図２に示した本考案の実施例１である景品獲得装置１が備える鏡板２１の動作を説明した図に記載の構成と同一符号が付されたものは、同一構成を有するので、説明を省略する。
【００４７】
図３に示すように、本考案の実施例２である景品獲得装置２は、一方の端部が景品把持部１２に固定され、ローラ３１，３２，３３を介して、他方の端部が鏡板２１に固定された紐状部材３４を備えており、鏡板２１は、紐状部材３４により引っ張れることにより、フロア部１８の面に対して所定の傾斜角となるように支持されている。
【００４８】
そして、クレーン機構１４により景品把持部１２が鏡板２１に近づく方向（Ｆ方向）に移動された場合、紐状部材３４は、ローラ３１，３２，３３を介して、フロア部１８に対する鏡板２１の傾斜角度が大きくなるように鏡板２１を引き上げる。
【００４９】
具体的には、図２に示すように、遊技者は、景品を獲得するために、景品把持部１２が、鏡板２２に近づくように操作部２０の操作釦を操作した場合、景品把持部１２は、Ｆ方向へ移動し、この移動に伴って、紐状部材３４が、フロア部１８の面に対する鏡板２１の傾斜角度が大きくなるように鏡板２１をＧ方向に引っ張り上げる。
【００５０】
このように、紐状部材３４が鏡板２１をＧ方向に引っ張り上げることにより、鏡板２１は、傾倒位置から、起立位置へ移動する。
【００５１】
以上のように、本考案の実施例２である景品獲得装置２によれば、景品把持部１２に固定され、クレーン機構１４により景品把持部１２が鏡板２１に近づく方向に移動されたときに、フロア部１８の面に対する鏡板２１の傾斜角度が大きくなるように鏡板２１を引き上げる紐状部材３４を設けたので、景品把持部１２の可動範囲を狭めることなく、フロア部１８上に配置された景品を多く見せることができる。
【実施例３】
【００５２】
本考案の実施例１では、クレーン機構１４により景品把持部１２が鏡板２１に近づく方向に移動されたときに、鏡板２１に接触することにより鏡板２１の傾斜角度が大きくなるように鏡板２１を押し上げる傾斜調整部２４を備えた景品獲得装置１を例に挙げて説明した。
【００５３】
本考案の実施例３では、更に、景品を内包し、景品収納部１０の底面に配置され、フロア部１８の面に対する鏡板２１の傾斜角度に応じて上部に備えられた蓋が開閉する景品箱を備えた景品獲得装置を例に挙げて説明する。
【００５４】
図４は、本考案の実施例３である景品獲得装置３が備える鏡板２１の動作を説明した図である。なお、図４に示した構成のうち、図２に示した本考案の実施例１である景品獲得装置１が備える鏡板２１の動作を説明した図に記載の構成と同一符号が付されたものは、同一構成を有するので、説明を省略する。
【００５５】
図４に示すように、本考案の実施例３である景品獲得装置３は、更に、フロア部１８上に、景品箱４０が備えられている。
【００５６】
景品箱４０は、景品を内包する箱本体４１と、この箱本体４１の上部開口部を覆う蓋４２とを備えている。蓋４２は、箱本体４１に接続された下層蓋４２ａと、下層蓋４２ａと折り畳んだ状態で積み重ねることができるよう下層蓋４２ａに連結された上層蓋４２ｂとを備えている。
【００５７】
また、上層蓋４２ｂには、開閉紐４３の一方の端部が接続されており、開閉紐４３の他方の端部は、鏡板２１に接続されている。
【００５８】
そして、遊技者が、景品を獲得するために、景品把持部１２が、鏡板２２に近づくように操作部２０の操作釦を操作した場合、景品把持部１２は、Ａ位置（実線で示す）からＢ，Ｃ位置（破線で示す）に位置するようにＦ方向へ移動し、この移動に伴って傾斜調整部２４が鏡板２１に接触することにより、フロア部１８の面に対する鏡板２１の傾斜角度が大きくなるように鏡板２１をＧ方向に押し上げる。
【００５９】
このとき、鏡板２１に接続された開閉紐４３により、上層蓋４２ｂとこの上層蓋４２ｂに連結された下層蓋４２ａとが順次引き上げられ、箱本体４１の上部開口部が開口される。これにより、遊技者は、景品箱４０に内包された景品の獲得が可能となる。
【００６０】
また、遊技者の操作に基づいて、景品把持部１２が、Ｂ，Ｃ位置（破線で示す）からＡ位置（実線で示す）に位置するようにＲ方向へ移動した場合、鏡板２１は、起立位置Ｋから傾倒位置Ｊ，Ｈへ移動し、これに伴い、上層蓋４２ｂと上層蓋４２ｂとが、折り畳んだ状態で箱本体４１の上部開口部に積み重ねられる。
【００６１】
なお、箱本体４１と下層蓋４２aとの蝶番関節部、及び下層蓋４２aと上層蓋４２ｂとの蝶番関節部に、バネやゴム等の収縮する収縮部材を備える構成にしてもよい。このように収縮部材を備えることにより、景品把持部１２が、Ｂ，Ｃ位置（破線で示す）からＡ位置（実線で示す）に位置するようにＲ方向へ移動した場合、この収縮部材の収縮力により、箱本体４１と下層蓋４２aとが重なりやすくなると共に、下層蓋４２aと上層蓋４２ｂとが重なりやすくなる。これにより、上層蓋４２aの先端が鏡板２１に接触し難くなり、かつ、開閉紐４３をたわませる事なく箱本体４１の上部開口部に容易に積み重ねることができる。
【００６２】
以上のように、本考案の実施例３である景品獲得装置３によれば、景品を内包し、フロア部１８の面に配置され、フロア部１８の面に対する鏡板２１の傾斜角度に応じて上部に備えられた蓋が開閉する景品箱４０を備えたので、遊技者から見て、景品箱４０の蓋４２が開放されたときに景品が出現するので、さらに、賑やかな雰囲気を提供され、これにより、遊技者は、景品獲得装置３による景品獲得ゲームを通じてさらに視覚的に楽しむことができる。
【符号の説明】
【００６３】
１，２，３…景品獲得装置
１０…景品収納部
１２，１３…景品把持部
１２ａ…キャッチャー
１２ｂ…アーム
１４…クレーン機構
１８…フロア部
１８ａ，１８ｂ…景品排出口
１９ａ，１９ｂ…景品受取口
２０…操作部
２１…鏡板
２２…支持紐
２３…下端部
２４…傾斜調整部
３１，３２，３３…ローラ
３４…紐状部材（傾斜調整部）
４０…景品箱
４１…箱本体
４２…蓋
４２ａ…下層蓋
４２ｂ…上層蓋
４３…開閉紐
【図１】
0003166846.tif 000003
【図２】
0003166846.tif 000004
【図３】
0003166846.tif 000005
【図４】
0003166846.tif 000006